(57)【要約】【課題】清掃及びジャム処理を簡単に行うことのできる画像読取装置を提供する。【解決手段】上部部材２３と下部部材２２との間に設けられ、装置本体の中央部分を構成する中央部材２１に上部部材２３を開閉自在に保持するようにし、かつ中央部材２１を下部部材２２に開閉自在に保持するようにする。また、上部部材２３と中央部材２１との間に上部部材２３を閉じられた状態で保持する第１の保持手段を設け、中央部材２１と下部部材２２との間に中央部材２１を閉じられた状態で保持する第２の保持手段を設け、上部部材２３を一定角度以下で開放した際には第２の保持手段により中央部材２１を閉じられた状態で下部部材２２に保持する。また、上部部材２３を一定角度以上に開放した際には中央部材２１が上部部材２３と連動して開放し、さらに中央部材２１を開放した際には第１の保持手段により上部部材２３を閉じられた状態で中央部材２１に保持する。【選択図】　　　図１
2004137000.tif 000002
【特許請求の範囲】
【請求項１】
シート載置台に載置されたシートを画像読取部に搬送し、前記画像読取部で画像を読み取った後、前記シートを排出するようにした画像読取装置において、
装置本体の上部を構成する上部部材と、
前記装置本体の下部を構成する下部部材と、
前記上部部材と前記下部部材との間に設けられ、前記上部部材を開閉自在に保持し、かつ前記下部部材に開閉自在に保持された前記装置本体の中央部分を構成する中央部材と、
前記上部部材と前記中央部材との間に設けられ、該上部部材を前記中央部材に閉じられた状態で保持する第１の保持手段と、
前記中央部材と前記下部部材との間に設けられ、該中央部材を前記下部部材に閉じられた状態で保持する第２の保持手段と、
を備え、
前記上部部材を一定角度以下で開放した際には前記第２の保持手段により前記中央部材を閉じられた状態で前記下部部材に保持し、前記上部部材を前記一定角度以上に開放した際には前記中央部材が前記上部部材と連動して開放し、さらに前記中央部材を開放した際には前記第１の保持手段により前記上部部材を閉じられた状態で前記中央部材に保持するようにしたことを特徴とする画像読取装置。
【請求項２】
前記上部部材と前記中央部材、及び前記下部部材にはそれぞれシートを搬送するための搬送手段が設けられ、前記上部部材及び前記中央部材を開放することにより前記搬送手段を開放するようにしたことを特徴とする請求項１記載の画像読取装置。
【請求項３】
前記シート載置台に載置されたシートを送り出すシート給送手段と、前記シート給送手段により送り出されたシートを分離する分離部とを備え、
前記上部部材を開放した際には、前記分離部が開放されることを特徴とする請求項２記載の画像読取装置。
【請求項４】
前記第１の保持手段は前記上部部材を前記中央部材に、前記第２の保持手段は前記中央部材を下部部材に、それぞれ弾性的に、閉じられた状態で保持することを特徴とする請求項１乃至３の何れか１項に記載の画像読取装置。
【請求項５】
前記上部部材は前記中央部材に、前記中央部材は前記下部部材にそれぞれ回動自在に軸支され、かつそれぞれの回動中心が同一であることを特徴とする請求項１乃至４の何れか１項に記載の画像読取装置。
【請求項６】
前記上部部材と前記中央部材との間に該上部部材の開放角を規制し、かつ開放された該上部部材を開放状態で保持する第１の規制手段を設け、前記中央部材と前記下部部材との間に該中央部材の開放角を規制し、かつ開放された該中央部材を開放状態で保持する第２の規制手段を設けたことを特徴とする請求項１乃至５の何れか１項に記載の画像読取装置。
【発明の詳細な説明】
【０００１】
【発明の属する技術分野】
本発明は、画像読取装置に関し、特に画像読取装置本体を構成するフレームの構成に関する。
【０００２】
【従来の技術】
従来の複写機、ファクシミリ等に設けられた画像読取装置においては、シートである原稿をシート載置台である原稿載置台に載置し、この原稿載置台に載置された原稿をピックアップローラにより最上位のものから１枚ずつ順次送り出した後、分離部により一枚ずつ分離して画像読取部に給送する原稿給送装置を備えている。
【０００３】
そして、このような原稿給送装置においては、ピックアップローラにより送り出されたシートを分離部により１枚ずつ分離した後、画像読取部に搬送するようにしている。なお、このように画像読取部に搬送された原稿は画像読取部にて画像が読み取られた後、排紙部に排出されるようになっている。
【０００４】
図１２は、このような従来の画像読取装置の構成を示すものであり、原稿画像を読み取る場合、不図示の原稿はピックアップローラ１４１によって送り出された後、分離部を構成する分離ローラ対１４２，１４３によって１枚ずつに分離され、最上位の原稿が分離搬送される。
【０００５】
そして、このように分離された原稿は、この後、読取ガラス１４４の上方を通過し、この際、読取ガラス１４４の下方に設けられた、不図示の密着型イメージセンサにより画像が読み取られる。なお、このように画像が読み取られた原稿は、この後、排紙ローラ対１４５によって原稿排紙台に排出される。
【０００６】
ところで、このような画像読取装置において、ジャムした原稿を処理する場合や、ローラ等の清掃を行う場合、一端をアンダーフレーム１４６に軸支されたアッパーガイド１４８を上方に開放するようにしている。さらに、読取ガラス１４４等の清掃を行う場合には、アッパーガイド１４８とミドルフレーム１４７とを開放するようにしている。なお、このような構成の画像読取装置は、下記の特許文献に記載されている。
【０００７】
【特許文献】
特開平１０−１７１７６号公報
【０００８】
【発明が解決しようとする課題】
ところが、このような従来の画像読取装置において、アッパーガイド１４８を開放すると、ミドルフレーム１４７の固定が解除され、ミドルフレーム１４７が自由状態になる。そして、このようにミドルフレーム１４７が自由状態になると、アッパーガイド１４８を開放して清掃等を行う場合、ミドルフレーム１４７がガタガタ動き、清掃しずらいという問題点があった。
【０００９】
また、ミドルフレーム１４７を開放して読取ガラス１４４等の清掃を行う場合には、アッパーガイド１４８が自由状態であるため、さらに清掃しずらいという問題点があった。
【００１０】
そこで本発明は、このような現状に鑑みてなされたものであり、清掃及びジャム処理を簡単に行うことのできる画像読取装置を提供することを目的とするものである。
【００１１】
【課題を解決するための手段】
シート載置台に載置されたシートを画像読取部に搬送し、前記画像読取部で画像を読み取った後、前記シートを排出するようにした画像読取装置において、装置本体の上部を構成する上部部材と、前記装置本体の下部を構成する下部部材と、前記上部部材と前記下部部材との間に設けられ、前記上部部材を開閉自在に保持し、かつ前記下部部材に開閉自在に保持された前記装置本体の中央部分を構成する中央部材と、前記上部部材と前記中央部材との間に設けられ、該上部部材を前記中央部材に閉じられた状態で保持する第１の保持手段と、前記中央部材と前記下部部材との間に設けられ、該中央部材を前記下部部材に閉じられた状態で保持する第２の保持手段と、を備え、前記上部部材を一定角度以下で開放した際には前記第２の保持手段により前記中央部材を閉じられた状態で前記下部部材に保持し、前記上部部材を前記一定角度以上に開放した際には前記中央部材が前記上部部材と連動して開放し、さらに前記中央部材を開放した際には前記第１の保持手段により前記上部部材を閉じられた状態で前記中央部材に保持するようにしたことを特徴とするものである。
【００１２】
また本発明は、前記上部部材と前記中央部材、及び前記下部部材にはそれぞれシートを搬送するための搬送手段が設けられ、前記上部部材及び前記中央部材を開放することにより前記搬送手段を開放するようにしたことを特徴とするものである。
【００１３】
また本発明は、前記シート載置台に載置されたシートを送り出すシート給送手段と、前記シート給送手段により送り出されたシートを分離する分離部とを備え、前記上部部材を開放した際には、前記分離部が開放されることを特徴とするものである。
【００１４】
また本発明は、前記第１の保持手段は前記上部部材を前記中央部材に、前記第２の保持手段は前記中央部材を下部部材に、それぞれ弾性的に、閉じられた状態で保持することを特徴とするものである。
【００１５】
また本発明は、前記上部部材は前記中央部材に、前記中央部材は前記下部部材にそれぞれ回動自在に軸支され、かつそれぞれの回動中心が同一であることを特徴とするものである。
【００１６】
また本発明は、前記上部部材と前記中央部材との間に該上部部材の開放角を規制し、かつ開放された該上部部材を開放状態で保持する第１の規制手段を設け、前記中央部材と前記下部部材との間に該中央部材の開放角を規制し、かつ開放された該中央部材を開放状態で保持する第２の規制手段を設けたことを特徴とするものである。
【００１７】
【発明の実施の形態】
以下、本発明の実施の形態について図面を用いて詳細に説明する。
【００１８】
図２は、本発明の実施の形態に係る画像読取装置の斜視図であり、同図において、５０は画像読取装置、１は画像読取装置５０の上部に取り付けられた原稿給送装置である。２は原稿載置台、３は原稿排出台、４は原稿載置台２に設けられ、原稿の搬送方向と直交する幅方向に移動して原稿載置台４に載置された原稿の両側端を揃えるスライダである。
【００１９】
また、１Ａは原稿給送装置１の装置本体部であり、この装置本体１Ａの内部には、図３に示すように略Ｕ字状の原稿搬送路（以下、Ｕターンパスという）１４が設けられている。なお、このＵターンパス１４の上流端側に接続するように原稿載置台２と共にシート載置部を構成する下ガイドフレーム２１が設けられ、Ｕターンパス１４の下流端側に接続するように原稿排出台３が設けられている。
【００２０】
また、このＵターンパス１４の上流部には、原稿載置台２に積載された原稿Ｓの最上位の原稿Ｓ１に当接してこれを送り出すシート給送手段であるピックアップローラ１０と、ピックアップローラ１０により送り出された原稿Ｓ１を１枚ずつに分離する分離部を構成する分離パット１５及びこの分離パット１５に圧接する分離ローラ５と、原稿載置台２に積載された原稿Ｓの先端位置を規制する原稿ストッパ９と、原稿載置台上の原稿Ｓの有無を検知する原稿有無センサ６とが設けられている。
【００２１】
さらに、このＵターンパス１４の下流端側には、原稿Ｓを原稿排出台３に排出するための排紙ローラ１１と、原稿Ｓの先端部及び後端部を検出する原稿エッジセンサ８が設けられている。
【００２２】
なお、同図において、７は第１〜第４搬送コロ１７〜２０と共に原稿Ｓを挟持しながら搬送する搬送ローラ、１６は分離ローラ５の軸５ａと同軸上に回動自在に設けられたピックアップアームであり、このピックアップアーム１６の回動端にピックアップローラ１０が回転自在に保持されている。
【００２３】
そして、この保持手段であるピックアップアーム１６により、下ガイドフレーム２１の上方に配されたピックアップローラ１０は、原稿Ｓに接離可能に保持されると共に、原稿を送り出す際は、このピックアップアーム１６の下方回動に伴って原稿Ｓに回転しながら当接するようになっている。
【００２４】
ここで、この原稿給送装置１は、操作者が原稿Ｓを原稿載置台２に載置してセットするとき、原稿Ｓは原稿給送装置１の左右方向における右側から左側に向かって、かつ画像面を上側にしてセットされるようになっており、この原稿セットの際には、原稿Ｓの先端位置が原稿ストッパ９によって規制され、また原稿有無センサ６により原稿有りが検知されるようになっている。なお、この原稿ストッパ９は、後述するようにピックアップアーム１６が下方回動すると、ピックアップアーム１６により押し下げられるようになっている。
【００２５】
１Ｂはピックアップローラ１０及び搬送ローラ７により搬送された原稿Ｓを読み取るための画像読取部であり、この画像読取部１Ｂは読み取りガラス１２と、読み取りガラス１２の下方に設けられた密着型イメージセンサ１３とを備えている。
【００２６】
ここで、この密着型イメージセンサ１３は、光源としての不図示のＬＥＤアレイから原稿Ｓの画像情報面に光を照射し、画像情報面で反射した反射光をセルフォックレンズ（商標）でセンサ素子に結像して画像情報を読み取るものである。
【００２７】
そして、このような原稿給送装置１において、操作者が不図示の操作部から読取開始を指示すると、まず不図示のモータが回転してピックアップアーム１６が下方回動し、これにより原稿ストッパ９が押し下げられる。この後、ピックアップローラ１０が原稿載置台２に積載された原稿Ｓの最上位の原稿Ｓ１に当接し、この最上位の原稿Ｓ１を送り出す。
【００２８】
次に、この最上位の原稿Ｓ１は押し下げられた原稿ストッパ９の上端面を通り、分離ローラ５及び分離パット１５によって構成される分離部３０にて他の原稿から分離され、Ｕターンパス１４の内部へと送り込まれる。さらに、このようにＵターンパス１４の内部へと送り込まれた原稿Ｓ１は、搬送ローラ７と対向するコロ１７〜１９によって、密着型イメージセンサ１３により画像情報が読み取られる読取位置に向かって搬送される。
【００２９】
次に、原稿エッジセンサ８により原稿Ｓ１の先端部が検知されると、その位置から所定量搬送されたところで、密着型イメージセンサ１３による画像情報の読取が開始される。また、この後、原稿エッジセンサ８により原稿Ｓ１の後端部が検知されると、その位置から所定量搬送されたところで、密着型イメージセンサ１３による画像情報の読取を終了する。
【００３０】
次に、原稿Ｓ１は、排紙ローラ１１によって原稿排紙台３に排出される。なお、このようにして画像読取装置５０は、原稿有無センサ６が原稿無しを検知するまで上述した読取動作を繰り返す。
【００３１】
ところで、図１は装置本体１Ａのフレーム構成を示す図であり、同図において、２３は装置本体１Ａの上部を構成すると共に、第１及び第２搬送コロ１７，１８を回転自在に保持する上部部材であるアッパーガイド、２１はアッパーガイド２３の下方に設けられると共に、ピックアップローラ１０、分離ローラ５、排紙ローラ１１等を回転自在に保持する中央部材であるミドルフレーム、２２は装置本体１Ａの下部を構成し、第３及び第４搬送コロ１９，２０、排紙ローラ１１と当接するコロ３５等を回転自在に保持すると共に、読取ガラス１２及び密着型イメージセンサ１３が設けられた下部部材であるアンダーフレームである。
【００３２】
ここで、アッパーガイド２３の下端部には丸ボス２６が突設されており、この丸ボス２６をミドルフレーム２１の側端部に形成された嵌合穴２７に嵌合することによりアッパーガイド２３は、ミドルフレーム２１に対して丸ボス２６を支点として開閉（回動）自在に保持されるようになっている。なお、同図においては、アッパーガイド２３の一方の丸ボス２６のみを図示しているが、対向部にもこの丸ボス２６が突設されている。
【００３３】
また、ミドルフレーム２１の側端部には嵌合穴２７が形成された丸ボス２４が突設されており、この丸ボス２４をアンダーフレーム２２の側端部に形成された嵌合穴２５に嵌合することにより、ミドルフレーム２１はアンダーフレーム２２に対して丸ボス２４を支点として開閉（回動）自在に保持されるようになっている。なお、同図においては、ミドルフレーム２１の一方の丸ボス２４のみを図示しているが、対向部にもこの丸ボス２４が突設されている。
【００３４】
そして、このようにアッパーガイド２３を開閉自在に保持するミドルフレーム２１をアンダーフレーム２２に丸ボス２６を支点として開閉自在に保持させるようにすることにより、アッパーガイド２３及びミドルフレーム２１は同一の回動中心でアンダーフレーム２２に保持されるようになる。
【００３５】
さらに、アッパーガイド２３は、図４に示すように一端がアッパーガイド２３に、他端がミドルフレーム２１にそれぞれ係止された第１の保持手段である引っ張りバネ３３により、原稿通紙時に開放しないようにミドルフレーム２１に、弾性的に保持されている。なお、この引っ張りバネ３３は対向部にも取り付けられている。
【００３６】
また、ミドルフレーム２１には、同図に示すように第２の保持手段である板バネ２９が取り付けられており、この板バネ２９によりミドルフレーム２１は原稿通紙時に開放しないようにアンダーフレーム２２に保持されている。
【００３７】
なお、この板バネ２９は、図５に示すように下端部にモールド部材３１が取り付けられており、このモールド部材３１をアンダーフレーム２２の引っ掛け部３０に弾性的に係止させることによりミドルフレーム２１をアンダーフレーム２２に対して原稿通紙時に開放しないように保持するようにしている。なお、この板バネ２９は対向部にも取り付けられている。
【００３８】
また、図４において、２８はアッパーガイド２３とミドルフレーム２１との間に架設されている第１の規制手段であるストップレバーであり、後述するようにアッパーガイド２３が開放されると、ストップレバー２８は、ストップレバー２８に形成されたガイド溝２８ａに挿通されているミドルフレーム２１の丸ボス３２に沿って、ガイド溝２８ａの底部が丸ボス３２に当たるまで移動するようになっている。これにより、アッパーガイド２３の開放角が決められるようになっている。なお、対向部にも同様のストップレバー２８が取り付けられている。
【００３９】
次に、このように構成された画像読取装置５０のローラ、読取ガラス等の清掃方法及び原稿がジャムした場合の処理方法について説明する。
【００４０】
例えば、ミドルフレーム２１に支持されているピックアップローラ１０または分離ローラ５を清掃する場合は、図６に示すようにアッパーガイド２３を開放することにより、清掃を行うようにする。なお、このときのアッパーガイド２３の開放角はストップレバー２８により決められている。
【００４１】
ここで、このようにアッパーガイド２３が開放されたとき、ミドルフレーム２１はアンダーフレーム２２に板バネ２９により保持されているため移動することはなく、これによりユーザはミドルフレーム２１に保持されているピックアップローラ１０、分離ローラ５等を簡単に清掃することができる。
【００４２】
なお、このときアッパーガイド２３には引っ張りバネ３３の弾性力により閉じる方向に力が働くが、本実施の形態においては、ストップレバー２８に丸ボス３２を係止する不図示の係止部を設けており、この係止部に丸ボス３２を係止することにより、アッパーガイド２３を開放位置で静止（保持）させることができるようにしている。これにより、ユーザはアッパーガイド２３を支持することなく清掃を行うことができるようになり、より簡単に清掃を行うことができ、清掃性が向上する。
【００４３】
また、アッパーガイド２３を開放すると、図７に示すように搬送通路を構成するＵターンパス１４の一部が開放され、アッパーガイド２３に取り付けられている第１及び第２搬送コロ１７，１８が搬送ローラ７から離間する。さらに、分離パット１５が図示しないリンク機構にて分離ローラ５から離間する。これにより、原稿が第３搬送コロ１９の手前でジャムした際には、アッパーガイド２３のみを開放しただけで、簡単に原稿を取り除くことができ、ジャム処理性が向上する。なお、この場合も、ミドルフレーム２１はアンダーフレーム２２に保持されているため、ユーザはより簡単にジャム処理を行うことができる。
【００４４】
このように、アッパーガイド２３を開放した際には、ミドルフレーム２１を閉じられた状態に保持するようにすることにより、清掃及びジャム処理を簡単に行うことができ、清掃性及びジャム処理性を向上させることができる。
【００４５】
読取ガラス１２または、排紙ローラ１１、搬送ローラ７を清掃する場合は、図８に示すようにミドルフレーム２１を開放する。ここで、このミドルフレーム２１のアンダーフレーム２２に対する開放角は、装置背面側に取り付けられている第２の規制手段であるストッパアーム３４により規制される。また、このストッパアーム３４により、ミドルフレーム２１は開放状態で保持されるようになっている。
【００４６】
なお、このようにミドルフレーム２１を開放した時、アッパーガイド２３は引っ張りバネ３３により、ミドルフレーム２１に保持されているため、ユーザはアッパーガイド２３を保持することなく、簡単に清掃を行うことができる。
【００４７】
また、ミドルフレーム２１を開放すると、図９に示すようにＵターンパス１４の他の一部が開放され、アンダーフレーム２２に取り付けられている第３搬送コロ１９と第４搬送コロ２０が搬送ローラ７から離間する。さらにミドルフレーム２１に取り付けられている排紙ローラ１１から排紙コロ３５が離間する。これにより、原稿後端が第２コロ１８を抜けてジャムした際には、ミドルフレーム２１のみを開放しただけで、簡単に原稿を取り除くことができる。
【００４８】
このように、ミドルフレーム２１を開放した際には、アッパーガイド２３を閉じられた状態に保持するようにすることにより、清掃及びジャム処理を簡単に行うことができ、清掃性及びジャム処理性を向上させることができる。
【００４９】
また、例えば分離ローラ５及び搬送ローラ７、排紙ローラ１１すべてに原稿が掛かってジャムした場合には、図１０に示すようにアッパーガイド２３とミドルフレーム２１を共に開放するようにする。
【００５０】
これにより、図１１に示すように分離パット１５と分離ローラ５、搬送ローラ７と第１〜第４搬送コロ１７〜２０のすべて及び排紙ローラ１１と排紙コロ３５が離間するため、簡単に原稿を取り除くことができる。また、このようにアッパーガイド２３とミドルフレーム２１を共に開放するようにすることにより、全てのローラ及び読取ガラス１２を同時に清掃することも可能となる。
【００５１】
なお、この場合、アッパーガイド２３をストップレバー２８により決められている一定の開放角度以上開放するようにすると、引っ張りバネ３３の作用により、ミドルフレーム２１がアッパーガイド２３と連動して開放される。そして、このようにアッパーガイド２３の開放と連動してミドルフレーム２１を開放することにより、アッパーガイド２３の開放動作のみでミドルフレーム２１を開放でき、開放操作がより簡単になる。
【００５２】
【発明の効果】
以上説明したように本発明のように、上部部材を一定角度以下で開放した際には中央部材を閉じられた状態で下部部材に保持し、上部部材を一定角度以上開放した際には、中央部材が上部部材と連動して開放し、さらに中央部材を開放した際には上部部材を選択的に閉じられた状態に保持するようにすることにより、清掃及びジャム処理を簡単に行うことができる。
【図面の簡単な説明】
【図１】本発明の実施の形態に係る画像読取装置のフレーム構成を示す斜視図。
【図２】上記画像読取装置の斜視図。
【図３】上記画像読取装置の概略構成を示す図。
【図４】上記画像読取装置のアッパーガイド及びミドルフレームが閉じられた状態を示す断面図。
【図５】上記画像読取装置のミドルフレームとアンダーフレームのロック機構を説明する斜視図。
【図６】上記画像読取装置のアッパーガイドを開放したときの斜視図。
【図７】上記アッパーガイドを開放したときの状態を示す断面図。
【図８】上記画像読取装置のミドルフレームを開放したときの斜視図。
【図９】上記画像読取装置のミドルフレームを開放したときの断面図。
【図１０】上記画像読取装置のアッパーガイドとミドルフレームを共に開放したときの斜視図。
【図１１】上記画像読取装置のアッパーガイドとミドルフレームを共に開放したときの断面図。
【図１２】従来の画像読取装置の構成を説明する図。
【符号の説明】
１　　　　　原稿給送装置
１Ａ　　　　装置本体
２　　　　　原稿載置台
５　　　　　分離ローラ
７　　　　　搬送ローラ
１０　　　　ピックアップローラ
１１　　　　排紙ローラ
１２　　　　読取ガラス
１３　　　　密着型イメージセンサ
１５　　　　分離パット
２１　　　　ミドルフレーム
２２　　　　アンダーフレーム
２３　　　　アッパーガイド
２８　　　　ストップレバー
２９　　　　板バネ
３３　　　　引っ張りバネ
３４　　　　ストッパアーム
Ｓ　　　　　原稿
【図１】
2004137000.tif 000003
【図２】
2004137000.tif 000004
【図３】
2004137000.tif 000005
【図４】
2004137000.tif 000006
【図５】
2004137000.tif 000007
【図６】
2004137000.tif 000008
【図７】
2004137000.tif 000009
【図８】
2004137000.tif 000010
【図９】
2004137000.tif 000011
【図１０】
2004137000.tif 000012
【図１１】
2004137000.tif 000013
【図１２】
2004137000.tif 000014